(57)【要約】      （修正有）【課題】外出時に財布又はクラッチ内に簡便に携帯し、必要な時にリップ化粧を直すことができる新しいリップ化粧道具を提供する。【解決手段】カード型リップ化粧道具１００は、財布のカードポケット又は名刺ポケット内に収容されるサイズを有するケース１１０と、ケース１１０内に収容される色合いペーパー１３０とを含む。ケース１１０は、下部ケース、及び下部ケースを取り囲んで色合いペーパー１３０を収容する密閉した収容空間を形成する上部ケース１１２からなっている。そして、ケース１１０は財布のカードポケット内に入る長方形を成している。ケース１１０の両側短辺のいずれか一方が折り目１１８を中心に外側に折られることができる。ケース１１０の一部が外側に折られてケース１１０の内部が開放すれば、その内部に収納された色合いペーパー１３０の一部が露出され、このように露出される色合いペーパー１３０の一部がリップ化粧部１２０を形成する。【選択図】図４
0003224749.tif 000002
【実用新案登録請求の範囲】
【請求項１】
財布のカードポケット又は名刺ポケット内に収容されるサイズを有するケースと、
前記ケース内に収容される色合いペーパーとを含み、
前記ケースの両側短辺の少なくとも一方、又は両側長辺の少なくとも一方が外側に折られて前記色合いペーパーの一部を露出させるリップ化粧部を形成することができ、
前記色合いペーパーは、前記リップ化粧部に対応する領域に色合い化粧材が含有又は塗布されている色合い部が形成されており、
前記ケースは、下部ケース、及び前記下部ケースを取り囲んで、前記色合いペーパーを収容する密閉した収容空間を形成する上部ケースを含み、
前記リップ化粧部は、前記上部ケースの一側、又は前記上部ケース及び下部ケースの両側が外側に折られて前記色合いペーパーの一部を露出させ、
前記色合いペーパーは、前記ケース内に収納された状態で、前記上部ケースの一側、又は前記上部ケース及び下部ケースの両側を外側に折ることによって前記色合い部を露出させてリップ化粧に使われることを特徴とする、カード型リップ化粧道具。
【請求項２】
前記ケースの両側短辺のそれぞれ、又は両側長辺のそれぞれが外側に折られることにより、互いに対向する一対のリップ化粧部を形成することができ、
前記色合いペーパーは、前記一対のリップ化粧部に対応して一対の色合い部が形成されていることを特徴とする、請求項１に記載のカード型リップ化粧道具。
【請求項３】
前記一対の色合い部には互いに異なる色相の色合い化粧材がそれぞれ含有又は塗布されていることを特徴とする、請求項２に記載のカード型リップ化粧道具。
【請求項４】
前記色合い部は前記色合いペーパーの短辺又は長辺の角部に対してアーチ形の領域を成すことを特徴とする、請求項１に記載のカード型リップ化粧道具。
【請求項５】
前記リップ化粧部の内面にはミラーが備えられていることを特徴とする、請求項１に記載のカード型リップ化粧道具。
【請求項６】
前記ケースの両側短辺の一方、又は両側長辺の一方に前記リップ化粧部が形成され、前記リップ化粧部が形成されていない他方にはブラシ収容部が備えられていることを特徴とする、請求項１に記載のカード型リップ化粧道具。
【請求項７】
前記ブラシ収容部には、前記ケースの厚さに対応する厚さを有するブラシが挿入及び保管されることを特徴とする、請求項６に記載のカード型リップ化粧道具。
【考案の詳細な説明】
【技術分野】
【０００１】
本考案はリップ化粧道具に係り、より詳しくは財布のカードポケットに収納可能なサイズを持って簡便に携帯して使えるカード型リップ化粧道具に関する。
【背景技術】
【０００２】
リップ化粧は色合いによって人の印象を決定するのに重要な役割をし、目化粧に比べて簡単であるから、ブレミッシュバーム（Ｂｌｅｍｉｓｈ  Ｂａｌｍ、“ＢＢクリーム”ともいう）で細かい傷又はしみを遮る程度の簡易化粧を行う場合にもリップ化粧は漏らさずに少しでも行う場合が多い。
【０００３】
また、リップ化粧は水や飲物を飲むときにコップについて少しずつ消されることもあり、食事の礼節上、リップ化粧をちょっと落とすこともあるから、よく手入れしなければならないため、リップ化粧道具は外出時に常時携帯することが普遍的である。
【０００４】
リップ化粧道具は、リップスティック、リップグロス、ティントなど、種類が多様であり、その剤形が固状又は液状であり、一定の容積を有する容器内に収納されているという共通点がある。ところが、このごろ、女性たちは外出時に小さなクラッチ又は財布のみ持って出かける場合が多い。この場合、リップスティック一つのみ取り揃えることも負担に感じることになる。
【０００５】
したがって、外出時にショルダーバッグやクロスバッグなどを持参しない場合にも気軽に簡便に取り揃えることができるリップ化粧道具があれば、相当な便宜を感じることができる。
【先行技術文献】
【特許文献】
【０００６】
【特許文献１】韓国登録特許第１０−１７９２３６０号公報
【考案の概要】
【考案が解決しようとする課題】
【０００７】
本考案は外出時に財布又はクラッチ内に簡便に携帯し、必要な時にリップ化粧を直すことができる新しいリップ化粧道具を提供することにその目的がある。
【課題を解決するための手段】
【０００８】
本考案はカード型リップ化粧道具であって、財布のカードポケット又は名刺ポケット内に収容されるサイズを有するケースと、前記ケース内に収容される色合いペーパーとを含み、前記ケースの両側短辺の少なくとも一方、又は両側長辺の少なくとも一方が外側に折られて前記色合いペーパーの一部を露出させるリップ化粧部を形成することができ、前記色合いペーパーは、前記リップ化粧部に対応する領域に色合い化粧材が含有又は塗布されている色合い部が形成されており、前記ケースは、下部ケース、及び前記下部ケースを取り囲んで、前記色合いペーパーを収容する密閉した収容空間を形成する上部ケースを含み、前記リップ化粧部は、前記上部ケースの一側、又は前記上部ケース及び下部ケースの両側が外側に折られて前記色合いペーパーの一部を露出させ、前記色合いペーパーは、前記ケース内に収納された状態で、前記上部ケースの一側、又は前記上部ケース及び下部ケースの両側を外側に折ることによって前記色合い部を露出させてリップ化粧に使われることを特徴とする。
【０００９】
本考案の一実施例によれば、前記ケースの両側短辺のそれぞれ、又は両側長辺のそれぞれが外側に折られることにより、互いに対向する一対のリップ化粧部を形成することができ、前記色合いペーパーは、前記一対のリップ化粧部に対応して一対の色合い部が形成されることができる。
【００１０】
また、前記一対の色合い部には互いに異なる色相の色合い化粧材がそれぞれ含有又は塗布されることができる。
【００１１】
そして、前記色合い部は、前記色合いペーパーの短辺又は長辺の角部に対してアーチ形の領域を成すように形成されることができる。
【００１２】
そして、本考案の多様な実施例によれば、前記リップ化粧部の内面にはミラーが備えられることができ、前記ケースの両側短辺の一方、又は両側長辺の一方に前記リップ化粧部が形成され、前記リップ化粧部が形成されていない他方にはブラシ収容部が備えられることができる。
【考案の効果】
【００１３】
前記のような構成を有する本考案のリップ化粧道具は小さくて薄いカード形態であるので、財布やクラッチ、ひいてはズボンのバックポケットに入れて携帯することができるほどに携帯性に優れる。
【００１４】
また、カード型リップ化粧道具内に収納される色合いペーパーは普段密封されているので、財布などを汚さなく、提供する色合いペーパーの色相を多様に用意しておくことにより、基本リップ化粧の色合いに合わせて色合いペーパーを選択して外出時に便利に使える。
【図面の簡単な説明】
【００１５】
【図１】本考案の第１実施例によるカード型リップ化粧道具の外形を示す斜視図である。
【図２】図１のカード型リップ化粧道具の角部の一部を切開してその内部に収納された色合いペーパーを示す斜視図である。
【図３】図１のカード型リップ化粧道具の分解斜視図である。
【図４】図１のカード型リップ化粧道具の使用状態を示す図である。
【図５】図１のカード型リップ化粧道具の他の使用状態を示す図である。
【図６】本考案の第２実施例によるカード型リップ化粧道具の外形を示す斜視図である。
【図７】図６の第２実施例の変形例を示す図である。
【図８】本考案によるカード型リップ化粧道具を使う一例を示す図である。
【図９】本考案によるカード型リップ化粧道具を使う一例を示す図である。
【図１０】本考案の第３実施例によるカード型リップ化粧道具の外形を示す斜視図である。
【図１１】本考案の第４実施例によるカード型リップ化粧道具の外形を示す斜視図である。
【図１２】本考案のカード型リップ化粧道具を財布のカードポケット内に収納する状態を示す図である。
【図１３】本考案のカード型リップ化粧道具を財布のカードポケット内に収納する状態を示す図である。
【考案を実施するための形態】
【００１６】
以下、本考案の実施例を例示的な図面に基づいて詳細に説明する。各図の構成要素に参照符号を付け加えるにあたり、同じ構成要素に対しては、たとえ他の図に表示されていてもできるだけ同じ符号をつける。また、本考案の実施例の説明において、関連の公知の構成又は機能についての具体的な説明が本考案の実施例に対する理解を妨げると判断される場合には、その詳細な説明は省略する。
【００１７】
また、本考案の実施例の構成要素の説明において、第１、第２、Ａ、Ｂ、（ａ）、（ｂ）などの用語が使える。このような用語はその構成要素を他の構成要素と区別するためのものであるだけ、その用語によって該当構成要素の本質、順番又は手順などが限定されない。ある構成要素が他の構成要素に“連結”、“結合”又は“接続”されていると記載された場合、その構成要素はその他の構成要素に直接的に連結されるか接続されることができるが、各構成要素の間にさらに他の構成要素が介在されて間接的に“連結”、“結合”又は“接続”されることもできると理解されなければならない。
【００１８】
図１は本考案の第１実施例によるカード型リップ化粧道具１００の外形を示す斜視図、図２は図１のカード型リップ化粧道具１００の角部の一部を切開してその内部に収納された色合いペーパー１３０を示す斜視図、図３は図１のカード型リップ化粧道具１００の分解斜視図である。これらの図を参照して本考案について詳細に説明する。
【００１９】
図１〜３に示したカード型リップ化粧道具１００の第１実施例は本考案の最も基本的な構成を含む実施例である。
【００２０】
同図に示したように、本考案のカード型リップ化粧道具１００は、財布１０のカードポケット又は名刺ポケット（以下、“カードポケット”という）内に収容されるサイズを有するケース１１０と、前記ケース１１０内に収容される色合いペーパー１３０とを含む。
【００２１】
図３を参照すると、ケース１１０は、下部ケース１１４、及び前記下部ケース１１４を取り囲んで色合いペーパー１３０を収容する密閉した収容空間を形成する上部ケース１１２からなっている。そして、ケース１１０は財布１０のカードポケット１２内に入る長方形を成している。図４及び図５に示したように、ケース１１０の両側短辺１１５のいずれか一方が折り目１１８を中心に外側に折られることができる。ケース１１０の一部が外側に折られてケース１１０の内部が開放すれば、その内部に収納された色合いペーパー１３０の一部が露出され、このように露出される色合いペーパー１３０の一部がリップ化粧部１２０を形成するようになる。
【００２２】
色合いペーパー１３０はリップ化粧のための色合い化粧材を含む薄紙素材を指称するものである。特に、リップ化粧部１２０に対応する領域に色合い化粧材が含有又は塗布されて色合い部１３２を形成するようになる。色合い部１３２が色合いペーパー１３０の縁部に局限して形成されていることは、リップ化粧の際に実質的に使われる部分にのみ色合い化粧材を施すことによって不必要な化粧材の浪費を防ぐためである。
【００２３】
図８は本考案によるカード型リップ化粧道具１００を使う一例を示す図であり、リップ化粧部１２０を開けて色合いペーパー１３０を露出させた後、色合い部１３２を唇で挟めば、図９のように、色合い部１３２の色合い化粧材が唇について自然にリップ化粧がなされる。
【００２４】
ここで、図面にはケース１１０が長方形を有するものとして示されているが、その他に正方形又は楕円形などの多様な形態に変形されることも可能である。しかし、財布１０のカードポケット１２内に入れるか抜き出すことが容易であり、手でケース１１０を摘んでリップ化粧を行うのにはケース１１０が長方形を成すことがより好ましいと言える。
【００２５】
そして、図４及び図５を比較してみると、図４は上部ケース１１２側のリップ化粧部１２０のみ開けられており、図５は上部及び下部ケース１１２、１１４の両側のリップ化粧部１２０が共に開けられている違いがある。図４のように上部ケース１１２側のリップ化粧部１２０のみ開けば、下部ケース１１４を支持板として上唇又は下唇の一方のみ化粧するのに便利であり、図５のように上部及び下部ケース１１２、１１４の両側のリップ化粧部１２０を共に開けば、色合いペーパー１３０の両面を上下唇で挟んで唇全体を同時に化粧するのに便利である。
【００２６】
また、図１〜５には長方形ケース１１０の短辺１１５側にリップ化粧部１２０が形成されているものが示されているが、図７を参照すると、長方形ケース１１０の長辺１１６側にもリップ化粧部１２０が形成されることもできることが分かる。図７のように、長方形ケース１１０の長辺１１６側にリップ化粧部１２０を形成すれば、唇が平均値より大きな使用者も一度にリップ化粧を完成することができるので、楽に使えるようになる。
【００２７】
そして、色合い部１３２は色合いペーパー１３０の短辺１１５又は長辺１１６の角部に対してアーチ形の領域を成すように色合い化粧材を施すことができる。これは、唇の形態に対応するように色合い部１３２の両側を丸く仕上げることにより、リップ化粧の際に唇の外に色合い化粧材が付くことを防止し、さらに不必要なリップ化粧材の浪費を防ぐことにも利点がある。
【００２８】
図６及び図７は本考案の第２実施例によるカード型リップ化粧道具１００を示す図である。図６はケース１１０の両側短辺１１５に、そして図７は両側長辺１１６にそれぞれ一対のリップ化粧部１２０が形成される実施例に関するものである。リップ化粧部１２０が短辺１１５又は長辺１１６に互いに対向する一対で形成され、これに対応して色合いペーパー１３０も一対の色合い部１３２が形成される。
【００２９】
第２実施例はリップ化粧部１２０と色合い部１３２が二つ備えられることにより、第１実施例に比べて２倍の回数又は頻度で長く使えるようにする。さらに、一対の色合い部１３２にそれぞれ互いに異なる色相の色合い化粧材を施しておけば、一枚の色合いペーパー１３０でも２種の色合いのリップ化粧ができるので、第２実施例は本考案のカード型リップ化粧道具１００の活用性をもっと向上させる実施例であると言える。
【００３０】
図１０は本考案の第３実施例によるカード型リップ化粧道具１００の外形を示す斜視図である。図示の第３実施例は、ケース１１０の両側短辺１１５（又は長辺）のいずれか一方にのみリップ化粧部１２０が形成され、リップ化粧部１２０が形成されていない他方にはブラシ収容部１４０が備えられる実施例である。ブラシ収容部１４０は、色合いペーパー１３０を唇で挟んでリップ化粧を行った後、必要な場合、収納されたブラシ１４２を用いてより細密にリップ化粧を修正又は完成することができるように構成されたものである。
【００３１】
ここで、ブラシ収容部１４０によってケース１１０の縁部の厚さが余りにも厚くなって、財布１０内に入れたときに膨らんで突出しないようにすることが好ましいであろう。したがって、ブラシ収容部１４０に挿入及び保管されるブラシ１４２はケース１１０の厚さに対応する程度の厚さを有することが適当である。実際の使用においては、ブラシ収容部１４０がカードポケット１２の外側に突出するようにカード型リップ化粧道具１００を挿入することが長期間の使用による財布１０の変形を防止するという面でも良いであろう。
【００３２】
図１１は本考案の第４実施例によるカード型リップ化粧道具１００の外形を示す斜視図である。第４実施例はリップ化粧部１２０の内面にミラー１５０を備えることを特徴とする。使用者は外側に反られたリップ化粧部１２０の内側に内蔵したミラー１５０を見ながらリップ化粧を直すことができるので、別に手鏡を携帯する必要性が低くなる。
【００３３】
図１２及び図１３は本考案のカード型リップ化粧道具１００を財布１０のカードポケット１２内に収納する状態を示す図である。以上で一貫して説明したように、本考案のカード型リップ化粧道具１００はケース１１０内に薄い色合いペーパー１３０のみ収納しているので、全体の厚さをとても薄くすることができ、よって財布１０のカードポケット１２内に入れて携帯することができる。したがって、使用者は外出時に財布又はクラッチのみ持って出かければよいので、別途のリップ化粧道具を取り揃えなければならない負担がなくなる。
【００３４】
以上の説明は本考案の技術思想を例示的に説明したものに過ぎないものであり、本考案が属する技術分野で通常の知識を有する者であれば、本考案の本質的な特性から逸脱しない範疇内で多様な修正及び変形が可能であろう。したがって、本考案に開示した実施例は本考案の技術思想を限定するためのものではなくて説明するためのものであり、このような実施例によって本考案の技術思想の範囲が限定されるものではない。本考案の保護範囲は以下の請求範囲によって解釈されなければならなく、それと同等な範囲内にある全ての技術思想は本考案の権利範囲に含まれるものに解釈されなければならない。
【符号の説明】
【００３５】
１０      財布
１２      カードポケット
１００    カード型リップ化粧道具
１１０    ケース
１１２    上部ケース
１１４    下部ケース
１１５    短辺
１１６    長辺
１１８    折り目
１２０    リップ化粧部
１３０    色合いペーパー
１３２    色合い部
１４０    ブラシ収容部
１４２    ブラシ
１５０    ミラー
【図１】
0003224749.tif 000003
【図２】
0003224749.tif 000004
【図３】
0003224749.tif 000005
【図４】
0003224749.tif 000006
【図５】
0003224749.tif 000007
【図６】
0003224749.tif 000008
【図７】
0003224749.tif 000009
【図８】
0003224749.tif 000010
【図９】
0003224749.tif 000011
【図１０】
0003224749.tif 000012
【図１１】
0003224749.tif 000013
【図１２】
0003224749.tif 000014
【図１３】
0003224749.tif 000015